(57)【要約】【課題】フロントカバーをネジ止めしても美観に優れる給湯器を提供する。【解決手段】給湯器において、筐体の前面を閉塞するフロントカバー７に、筐体へのネジ止め孔２１，２１を覆う樹脂カバー３０が着脱可能に装着されて、樹脂カバー３０は、ネジ止め孔２１，２１に隣接してフロントカバー７に切り起こし形成される被係止部２２，２２に、樹脂カバー３０の裏面に設けた係止片３４，３４を前方から弾性係止させることで装着されている。【選択図】図４
2018179424.tif 000002
【特許請求の範囲】
【請求項１】
燃焼装置を収容して前面を開口する筐体と、その筐体の前面にネジ止めされるフロントカバーとを備えてなる給湯器であって、
前記フロントカバーに、前記筐体へのネジ止め部を覆う樹脂カバーが着脱可能に装着されて、
前記樹脂カバーは、前記ネジ止め部に隣接して前記フロントカバーに切り起こし形成される被係止部に、前記樹脂カバーの裏面に設けた係止部を前方から弾性係止させることで装着されていることを特徴とする給湯器。
【請求項２】
前記フロントカバーの背面に、前記被係止部の切り起こし形成によって生じる透孔を閉塞するシール部材が貼着されていることを特徴とする請求項１に記載の給湯器。
【請求項３】
前記樹脂カバーに、前記フロントカバーからの取り外しの際に前記係止部の弾性係止を解除させるための操作位置を示す表示部が設けられていることを特徴とする請求項１又は２に記載の給湯器。
【発明の詳細な説明】
【技術分野】
【０００１】
本発明は、燃焼装置を収容する筐体の前面にフロントカバーを設けてなる給湯器に関する。
【背景技術】
【０００２】
給湯器は、例えば特許文献１に開示されるように、バーナや熱交換器等の燃焼装置が収容され、前面が開口される筐体と、筐体の前面に取り付けられるフロントカバーとを備える。フロントカバーは、周縁に設けた係合部を、筐体の周縁に設けた係合部にネジ止めすることで固定される。
【先行技術文献】
【特許文献】
【０００３】
【特許文献１】特開２０１５−１５５７７３号公報
【発明の概要】
【発明が解決しようとする課題】
【０００４】
上記従来の給湯器においては、フロントカバーを固定するネジが外部に露出しているため、美観を損なうおそれがあった。
【０００５】
そこで、本発明は、フロントカバーをネジ止めしても美観に優れる給湯器を提供することを目的としたものである。
【課題を解決するための手段】
【０００６】
上記目的を達成するために、請求項１に記載の発明は、燃焼装置を収容して前面を開口する筐体と、その筐体の前面にネジ止めされるフロントカバーとを備えてなる給湯器であって、
フロントカバーに、筐体へのネジ止め部を覆う樹脂カバーが着脱可能に装着されて、樹脂カバーは、ネジ止め部に隣接してフロントカバーに切り起こし形成される被係止部に、樹脂カバーの裏面に設けた係止部を前方から弾性係止させることで装着されていることを特徴とする。
請求項２に記載の発明は、請求項１の構成において、フロントカバーの背面に、被係止部の切り起こし形成によって生じる透孔を閉塞するシール部材が貼着されていることを特徴とする。
請求項３に記載の発明は、請求項１又は２の構成において、樹脂カバーに、フロントカバーからの取り外しの際に係止部の弾性係止を解除させるための操作位置を示す表示部が設けられていることを特徴とする。
【発明の効果】
【０００７】
請求項１に記載の発明によれば、フロントカバーのネジ止め部を覆う樹脂カバーの採用により、フロントカバーをネジ止めしても美観に優れるものとなる。また、弾性係止する樹脂カバーは前方から容易に着脱可能であるため、メンテナンス等の際にフロントカバーを筐体に着脱する手間も面倒にならない。
請求項２に記載の発明によれば、請求項１の効果に加えて、シール部材の採用により、被係止部を切り起こし形成しても透孔から筐体内への雨水等の浸入を防止することができる。
請求項３に記載の発明によれば、請求項１又は２の効果に加えて、表示部の採用により、樹脂カバーの取り外し作業が簡単に行える。
【図面の簡単な説明】
【０００８】
【図１】給湯器の正面図である。
【図２】フロントカバーを取り外した筐体の斜視図である。
【図３】フロントカバーの斜視図である。
【図４】フロントカバーと樹脂カバーとの分解斜視図である。
【図５】（Ａ）は樹脂カバーの前方からの斜視図、（Ｂ）は樹脂カバーの後方からの斜視図である。
【図６】樹脂カバーの説明図で、（Ａ）は平面、（Ｂ）は背面、（Ｃ）は底面、（Ｄ）は左側面をそれぞれ示す。
【図７】フロントカバーの上部の後方からの斜視図である。
【図８】（Ａ）はフロントカバーの上部の正面図、（Ｂ）はＡ−Ａ線断面図である。
【発明を実施するための形態】
【０００９】
以下、本発明の実施の形態を図面に基づいて説明する。
図１は、給湯器の一例を示す正面図、図２はフロントカバーを取り外した筐体の斜視図、図３はフロントカバーの斜視図である。
給湯器１は、前面を開口して天板３及び底板４、左右の側板５，５、背板６とからなる縦長箱状の筐体２と、筐体２の前面を閉塞するフロントカバー７とを備えている。筐体２内には、バーナを有する燃焼部９と、熱交換器を有する熱交換部１０と、排気部１１とを含む燃焼装置８等の構成部品が収容されて、開口の四辺には、フロントカバー７の取付用のフランジ部１２，１２・・が外側へ折り返し形成されている。上下のフランジ部１２，１２には、左右一対ずつネジ孔１３，１３が形成されている。１４，１４は、背板６の上下に取り付けられた設置用金具である。
【００１０】
フロントカバー７は、正面視が筐体２と略同形の縦長矩形状で、筐体２のフランジ部１２，１２・・を含む前面に嵌合する外周部１５と、外周部１５の内側から全体的に前方へ膨出する正面視縦長矩形状の膨出部１６とを備えて前後に厚みを有する形状となっている。膨出部１６の前面上側には、排気部１１の前面に設けた横長の排気口１１ａが嵌合する長孔１７が形成され、膨出部１６の前面下側と側方とには、吸気孔１８，１８・・が形成されている。
また、膨出部１６の上部には、図４に示すように、左右両端を除く上辺部分が下降して外周部１５の上側を上下に幅広とする正面視横長台形状の上凹部１９が形成され、同様に膨出部１６の下部にも、左右両端を除く下辺部分が上昇して外周部１５の下側を上下に幅広とする正面視横長台形状の下凹部２０が形成されている。上凹部１９と下凹部２０とによって幅広となる外周部１５の上下には、フランジ部１２のネジ孔１３，１３に対応するネジ止め部としての左右一対のネジ止め孔２１，２１がそれぞれ形成されている。
【００１１】
さらに、上凹部１９及び下凹部２０に隣接する膨出部１６の上下面には、正面視が台形状の被係止部２２，２２が、それぞれ左右一対ずつ切り起こし形成されている。
このため、膨出部１６の上下面には、被係止部２２，２２の切り起こしに伴う透孔２３，２３が形成されることになるが、フロントカバー７の裏面には、図７，８に示すように、上凹部１９の後側で外周部１５の裏面（ネジ止め孔２１，２１は除く）を覆う上板２５と、上凹部１９の下側で膨出部１６の下側内面を覆う下板２６とからなるシール部材としての断面Ｌ字状のシール板２４が貼着されて、下板２６に設けた左右一対の延設片２７，２７が、透孔２３，２３を下方から閉塞している。なお、下凹部２０側では、透孔２３，２３は膨出部１６の下面に開口するため、シール板２４を設けなくても雨水等が浸入するおそれはないが、ここにもシール板２４を貼着して差し支えない。
【００１２】
そして、膨出部１６の上凹部１９と下凹部２０とには、樹脂カバー３０，３０がそれぞれ着脱可能に装着されている。
この樹脂カバー３０は、合成樹脂の一体成形品で、図５，６に示すように、上凹部１９と下凹部２０との正面視形状に対応する横長台形状の前板部３１と、前板部３１の長辺へ直角に連設され、平面視が帯状の平板部３２とを有し、前板部３１と平板部３２との間の内面には、上下方向の補強リブ３３，３３・・が、左右に所定間隔をおいて４枚設けられている。また、前板部３１の裏面には、後方へ突出して端部寄りの上面に凸部３５をそれぞれ形成した左右一対の係止部としての係止片３４，３４が設けられている。この係止片３４，３４は、膨出部１６の被係止部２２，２２にそれぞれ前方から差し込み可能となっている。さらに、平板部３２における係止片３４，３４の上方位置には、樹脂カバー３０を取り外す際の操作位置を示す表示部３６，３６が、後端へ行くに従って深くなる傾斜を有して凹設されている。
【００１３】
以上の如く構成された給湯器１において、フロントカバー７を取り付ける場合、まず、樹脂カバー３０を装着する前のフロントカバー７を筐体２の前面に組み付け、外周部１５の上下のネジ止め孔２１，２１を介してそれぞれネジ３７，３７（図８）をフランジ部１２のネジ孔１３，１３にねじ込むことで固定する。
その後、上凹部１９に対し、樹脂カバー３０を、平板部３２を上にして係止片３４，３４を被係止部２２，２２に差し込むようにして前方から組み付ける。すると、図８に示すように、凸部３５が被係止部２２を越えるまで係止片３４が差し込まれて弾性係止すると共に、平板部３２が外周部１５の前面に当接し、各補強リブ３３が外周部１５の前面及び膨出部１６の上面に当接する位置で固定される。この位置で前板部３１は、前面が膨出部１６の前面と略同一面上にあって上凹部１９を前方から覆い、平板部３２は上凹部１９を上方から覆う。よって、上側の樹脂カバー３０によってネジ３７，３７は隠されることになる。
【００１４】
同様に、下凹部２０に対して、樹脂カバー３０を、平板部３２を下にして係止片３４，３４を被係止部２２，２２に差し込むようにして前方から組み付けると、凸部３５が被係止部２２を越えるまで係止片３４が差し込まれて弾性係止すると共に、平板部３２が外周部１５の前面に当接し、各補強リブ３３が外周部１５の前面及び膨出部１６の下面に当接する位置で固定される。この位置で前板部３１は、前面が膨出部１６の前面と略同一面上にあって下凹部２０を前方から覆い、平板部３２は下凹部２０を下方から覆う。よって、下側の樹脂カバー３０によってネジ３７，３７は隠されることになる。
一方、フロントカバー７を取り外す場合、まず、各樹脂カバー３０を、左右の表示部３６，３６を押して前板部３１を手前へ押し出すようにすれば、係止片３４，３４が被係止部２２，２２から抜き取られて上凹部１９及び下凹部２０から取り外すことができる。これにより外周部１５の上下でネジ３７，３７が露出するため、各ネジ３７を緩めて取り外せばフロントカバー７を筐体２から取り外すことができる。
【００１５】
このように、上記形態の給湯器１によれば、フロントカバー７に、筐体２へのネジ止め孔２１，２１を覆う樹脂カバー３０が着脱可能に装着されて、樹脂カバー３０は、ネジ止め孔２１，２１に隣接してフロントカバー７に切り起こし形成される被係止部２２，２２に、樹脂カバー３０の裏面に設けた係止片３４，３４を前方から弾性係止させることで装着されているので、フロントカバー７をネジ止めしても美観に優れるものとなる。また、弾性係止する樹脂カバー３０は前方から容易に着脱可能であるため、メンテナンス等の際にフロントカバー７を筐体２に着脱する手間も面倒にならない。
【００１６】
特にここでは、フロントカバー７の背面に、被係止部２２の切り起こし形成によって生じる透孔２３を閉塞するシール板２４が貼着されているので、被係止部２２を切り起こし形成しても透孔２３から筐体２内への雨水等の浸入を防止することができる。
また、樹脂カバー３０に、フロントカバー７からの取り外しの際に係止片３４，３４の弾性係止を解除させるための操作位置を示す表示部３６，３６が設けられているので、樹脂カバー３０の取り外し作業が簡単に行える。
【００１７】
なお、樹脂カバーの位置や大きさ、形状は、上記形態に限らず、ネジ止め孔の位置や上下凹部の形状等に応じて適宜変更可能である。よって、係止片の位置や数も変更して差し支えない。
また、シール部材は上記形態のシール板に限らず、例えば透孔の部分のみを個別に閉塞する小面積のシール板とする等、少なくとも被係止部の切り起こし形成による透孔を閉塞可能であれば、適宜変更できる。表示部の位置や形状も変更可能である他、表示部の省略も可能である。
【符号の説明】
【００１８】
１・・給湯器、２・・筐体、７・・フロントカバー、８・・燃焼装置、１２・・フランジ部、１３・・ネジ孔、１５・・外周部、１６・・膨出部、１９・・上凹部、２０・・下凹部、２１・・ネジ止め孔、２２・・被係止部、２３・・透孔、２４・・シール板、３０・・樹脂カバー、３１・・前板部、３２・・平板部、３３・・補強リブ、３４・・係止片、３６・・表示部、３７・・ネジ。
【図１】
2018179424.tif 000003
【図２】
2018179424.tif 000004
【図３】
2018179424.tif 000005
【図４】
2018179424.tif 000006
【図５】
2018179424.tif 000007
【図６】
2018179424.tif 000008
【図７】
2018179424.tif 000009
【図８】
2018179424.tif 000010